(57)【要約】【課題】車両用の芳香装置でありながら、車両の盗難の抑止機能も有する。【解決手段】芳香装置１はクリップ部４を介して車両用空調装置の吹出口（不図示）に装着されるようになっている。収容されている芳香剤２の香りは、吹出口からの風に乗って車室内に拡散されることとなる。一方、この芳香装置１の本体部３には発光部５が形成されていて、スイッチ部６を操作することにより発光するように構成されている。したがって、ドライバーが車を離れるときにスイッチ部６をオンにすると、車両盗難抑止効果のあるロゴ（図中の"ＰＱＲＳ"の部分に表示されているロゴであって、例えば、"車両盗難防止システム作動中"のようなロゴ）が点滅表示されることとなり、盗難抑止効果を発揮させることができる。【選択図】図１
2007320378.tif 000002
【特許請求の範囲】
【請求項１】
車両用空調装置からの風を利用して芳香剤の香りを拡散させるようにした芳香装置において、
芳香剤を収容するための装置本体部と、
該装置本体部を車室内に固定すべく該本体部に取り付けられたクリップ部と、
車両の盗難を抑止するために発光される発光部と、
該発光部の点灯を制御するスイッチ部と、
を備えたことを特徴とする芳香装置。
【請求項２】
前記装置本体部は略円筒形状をし、
該装置本体部の開口部を閉塞するように第１蓋部が配置され、
前記発光部は前記装置本体部に配置され、
前記スイッチ部は前記第１蓋部に配置された、
ことを特徴とする請求項１に記載の芳香装置。
【請求項３】
前記第１蓋部には、前記発光部に電力を供給するための電池が配置されている、
ことを特徴とする請求項２に記載の芳香装置。
【請求項４】
前記電池と前記発光部との間には、前記発光部を点滅させるための点滅制御部、が介装された、
ことを特徴とする請求項３に記載の芳香装置。
【発明の詳細な説明】
【技術分野】
【０００１】
本発明は、一般的には車両内で使用する芳香装置に関し、詳しくは、車両用空調装置の吹出口に装着可能な芳香装置に関する。
【背景技術】
【０００２】
従来、芳香剤の香りを拡散させるようにした芳香装置であって、自動車の車室内で使用されるようにしたものは種々提案されている。その一つとして、自動車用電源にて駆動される香り拡散専用のファンを設けたものがある（例えば、特許文献１参照。）。しかし、かかる構成のものでは、芳香装置自体にファンを設けなければならず、コストが高くなってしまうという問題があった。
【０００３】
かかる問題を解決するものとして、香り拡散専用のファンを設けず、車両用空調装置の風によって香りを拡散させるようにしたものが提案されている（例えば、特許文献２参照。）。
【特許文献１】特開２００２−３６２１４３号公報
【特許文献２】特開平０８−３１８７３２号公報
【発明の開示】
【発明が解決しようとする課題】
【０００４】
しかしながら、上述のような芳香装置においては、芳香剤の香りを車室内に拡散させるという機能だけでなく、他の機能も付加したいという要求がある。
【０００５】
そこで、本発明は、車室内に香りを拡散させるという機能だけでなく、車両の盗難の抑止機能をも有する芳香装置を提供することを目的とするものである。
【課題を解決するための手段】
【０００６】
本発明は上記事情を考慮してなされたものであり、請求項１に係る発明は、図１及び図２に例示するものであって、車両用空調装置（不図示）からの風を利用して芳香剤（２）の香りを拡散させるようにした芳香装置（１）において、
芳香剤（２）を収容するための装置本体部（３）と、
該装置本体部（３）を車室内に固定すべく該本体部（３）に取り付けられたクリップ部（４）と、
車両の盗難を抑止するために発光される発光部（５）と、
該発光部（５）の点灯を制御するスイッチ部（６）と、を備えたことを特徴とする。
【０００７】
請求項２に係る発明は、請求項１に係る発明において、前記装置本体部（３）は略円筒形状をし、
該装置本体部（３）の開口部（３Ｂ）を閉塞するように第１蓋部（７）が配置され、
前記発光部（５）は前記装置本体部（３）に配置され、
前記スイッチ部（６）は前記第１蓋部（７）に配置されたことを特徴とする。
【０００８】
請求項３に係る発明は、請求項２に係る発明において、前記第１蓋部（７）には、前記発光部（５）に電力を供給するための電池（８）が配置されていることを特徴とする。
【０００９】
請求項４に係る発明は、請求項３に係る発明において、前記電池（８）と前記発光部（５）との間には、前記発光部（５）を点滅させるための点滅制御部（不図示）、が介装されたことを特徴とする。
【発明の効果】
【００１０】
以上説明したように、請求項１等に係る発明によると、車両用空調装置からの風を利用して芳香剤の香りを車室内に十分に拡散させることができる。また、スイッチ部を操作して発光部を発光させることにより、車両の盗難を抑止することも可能となる。
【発明を実施するための最良の形態】
【００１１】
以下、図１乃至図４を参照して、本発明の実施の形態について説明する。ここで、図１は、本発明に係る芳香装置の全体構成の一例を示す側面図であり、図２は、本発明に係る芳香装置の全体構成の一例を示す分解図であり、図３は、発光部等の構成の一例を示す模式図であり、図４は、発光部等の構成の他の例を示す模式図である。
【００１２】
本発明に係る芳香装置は、車両用空調装置の吹出口等に着脱自在に装着されるように構成されたものであって、車両用空調装置の吹出口からの風を利用して芳香剤の香りを車室内に拡散させるようにしたものである。
【００１３】
本発明に係る芳香装置は、例えば図１に符号１で例示されるものであって、芳香剤２を収容するための装置本体部３と、該装置本体部３を車室内に固定すべく該本体部３に取り付けられたクリップ部４と、車両の盗難を抑止するために特有の方法（詳細は後述する）で発光される発光部５と、該発光部５の点灯を制御するスイッチ部６と、を備えている。
【００１４】
この場合、前記装置本体部３を略円筒形状とし、該装置本体部３の先端側開口部（クリップ部４が配置される側とは反対の側の開口部であって、図２に符号３Ｂで示す開口部である）を閉塞する第１蓋部７を配置しておいても良い。そして、該第１蓋部７には、前記発光部５に電力を供給するための電池８や上述したスイッチ部６を配置し、他方の前記発光部５は前記装置本体部３に配置すると良い。電池８としては、ボタン型電池が好ましい。また、スイッチ部６としては、押しボタンが好ましく、前記第１蓋部７の端面に配置しておくと良い。ところで、前記装置本体部３には、芳香剤２の香りの拡散が促進されるように通気孔（図２の符号３Ｃ参照）を形成しておくと良い。なお、図示の通気孔３Ｃはスリット状であるが、通気孔の形状はスリット状に限定されるものではなく、スリット以外の他の形状であっても良い。また、このような通気孔は表側と裏側にそれぞれ形成しておいて、車両用空調装置からの風が吹き抜けるようにしておいても良い。
【００１５】
なお、前記装置本体部３に収容される芳香剤２は略球状にすると良い。
【００１６】
ところで、本発明における発光部５は、無人状態で道路等に駐車している車両が盗まれないように発光するためのものである。発光部５をそのような用途で使用するには、ドライバーが車両から離れる際に前記スイッチ部６を操作して前記発光部５を点灯させる必要があるが、単に点灯させるだけでは車両盗難抑止効果が発揮されるとは限らない。そこで、車両盗難抑止効果を発揮させ向上させるために、以下の(1) 〜(4) の方法を単独、或いは複数組み合わせて実施すると良い。
【００１７】
(1)   上述の発光部５とスイッチ部６と電池８とはリード線９にて接続するのでそれらによって閉回路が構成されるが、発光部５と電池８との間に点滅制御部（不図示）を配置しておいて、前記発光部５を常時点灯ではなく点滅させるようにしておくと良い。発光部５を点滅させることにより、車両を盗もうとする者に対しての威嚇効果を向上させることができる。
(2)   前記発光部５は、直列に配置された複数のＬＥＤ５０により構成すると良い。それら複数のＬＥＤ５０の色は、赤色等に統一しても良いが、赤色や緑色などの複数の色を混ぜるようにしても良い。例えば、図３に例示するように、赤色のＬＥＤ５０Ｒと緑色のＬＥＤ５０Ｇとを交互に配置すると良い。なお、ＬＥＤ５０としては、最近市販されている高輝度ＬＥＤを使用すると良く、高輝度の光を車室内に照射することによって車両盗難の抑止効果を向上させることができる。
(3)   また、それらのＬＥＤ５０の点灯がそのまま視認されるようにしておいても良いが、ＬＥＤ５０が配置される領域にロゴ（図１の"ＰＲＱＳ"参照）を配置しておいて、ＬＥＤ５０の点灯に伴って該ロゴが浮かび上がるように構成しておくと良い。
(4)   或いは、図４に例示するように、赤色のＬＥＤ５０Ｒと緑色のＬＥＤ５０Ｇとを交互に配置して発光部５を構成すると共に、該発光部５以外の領域にロゴ（"ＰＲＱＳ"参照）を配置するようにしても良い。
【００１８】
なお、上記(3) のように構成する場合は、ＬＥＤ５０を装置本体部３の内側に配置し、装置本体部３の外側面にロゴを形成しておくと良い。また、該ロゴの意味は、車両の盗難の抑止効果があるもの（例えば、「自動車盗難防止システム作動中」のようなロゴ）にすると良い。さらに、様々な種類のロゴを用意しておいて、ドライバーが好みに応じてロゴを変更できるようにしておいても良い。例えば、ロゴ付きの装置本体部３に芳香剤２を収容したものをセットとして販売するようにしておいて、消費者は気に入ったロゴのものを購入できるようにしておいても良い。
【００１９】
一方、上述したクリップ部４は、車両用空調装置の吹出口のルーバーを把持できるような形状のものであればどのような構造でも良い。
【００２０】
ところで、このクリップ部４と前記装置本体部３とは屈曲（或いは湾曲）可能な連結部１０を介して連結するようにしておき、該装置本体部３の位置（前記クリップ部４に対する相対位置）を自由に変更できるようにしておくと良い。そのように構成した場合には、吹出口に近接するように装置本体部３を配置して香りの拡散度合いを高めたり、吹出口から離れた位置に装置本体部３を配置して香りの拡散度合いを低めたりすることができ、車両用空調装置の風量を変更しなくても香りの拡散度合いを調整することができる。
【００２１】
なお、図１及び図２に示す連結部１０は、いわゆるボールジョイントによって多関節型に構成されている。すなわち、該連結部１０は、クリップ部側の第１アーム部材１０Ａと、装置本体部側の第２アーム部材１０Ｂとによって構成されている。そして、第１アーム部材１０Ａは略円柱形状であって、その両端面にはそれぞれ球状の凹部１０Ａ１，１０Ａ２が形成されている。また、第２アーム部材１０Ｂは両端にボール部１０Ｂ１，１０Ｂ２を有する部材（いわゆるダブルボールジョイント部材）であって、一方のボール部１０Ｂ１は前記球状凹部１０Ａ２に嵌合されていて、ボールジョイント部が形成されている。なお、上述したクリップ部４の一端（吹出口を把持する方とは反対側の端部）にもボール部４ａが形成されていて、該ボール部４ａが前記球状凹部１０Ａ１に嵌合されていて、別のボールジョイント部が形成されている。また、上述の装置本体部３の基端側開口部（クリップ部４が配置される側の開口部を意味するものとする）３Ａを閉塞するように第２蓋部１１が配置されていて、該第２蓋部１１に球状凹部１１ａが形成されると共に、該球状凹部１１ａに前記第２アーム部材１０Ｂのボール部１０Ｂ２が嵌合されていて、この部分にもボールジョイント部が形成されている。つまり、図示の装置においては、クリップ部４と装置本体部３との間には３つのボールジョイント部が形成されていて、該装置本体部３の位置を自由に調整できるようになっている。
【００２２】
なお、芳香剤２の出し入れや、電池８の交換等を容易に実施できるように、上述の第１及び第２蓋部７，１１は、前記装置本体部３に着脱可能に構成しておくと良い。例えば、これらの蓋部７，１１と装置本体部３とにねじ部を形成しておいて、蓋部７，１１を装置本体部３にねじ留めできるように構成しておくと良い。
【００２３】
次に、本発明の作用について説明する。
【００２４】
上述したクリップ部４によって、車両用空調装置から風が吹き出されている部分に芳香装置１を取り付ける。これにより、芳香剤２の香りが車室内に拡散されることとなる。
【００２５】
ドライバーが、車両を駐車させて車両から離れる場合には、前記芳香装置１のスイッチ部６をオンにする。これにより、前記発光部５が発光され、所定のロゴ等が表示されたり、ＬＥＤ５０が点滅したりすることとなる。仮に、車の所有者以外の何者かが、車両のドアを開けて車両を盗み去ろうとしても、上述のように発光部５が発光し続けているので、車両盗難の抑止効果を発揮することができる。
【図面の簡単な説明】
【００２６】
【図１】図１は、本発明に係る芳香装置の全体構成の一例を示す側面図である。
【図２】図２は、本発明に係る芳香装置の全体構成の一例を示す分解図である。
【図３】図３は、発光部等の構成の一例を示す模式図である。
【図４】図４は、発光部等の構成の他の例を示す模式図である。
【符号の説明】
【００２７】
１          芳香装置
２          芳香剤
３          装置本体部
３Ｂ        開口部
４          クリップ部
５          発光部
６          スイッチ部
７          第１蓋部
８          電池
【図１】
2007320378.tif 000003
【図２】
2007320378.tif 000004
【図３】
2007320378.tif 000005
【図４】
2007320378.tif 000006